(57)【要約】【課題】タイムレコーダの設置場所を変更した場合にその変更した設置場所で標準時刻電波を受信することができるか否かが即座に分かるタイムレコーダを提供する。【解決手段】時刻を刻む時計回路３８と、この時計回路３８が刻む時刻を表示する表示部４と、この表示部４に表示される時刻をタイムカードに印字する印字ヘッド３３と、時計回路３８の時刻が所定の受信時刻になった際に標準時刻電波を受信する時刻電波受信回路２２とを備え、時刻電波受信回路２２が受信する標準時刻電波に基づいて時計回路３８の時刻を修正するとともに、時刻電波受信回路２２が標準時刻電波の受信に成功したことを所定時間表示し続けるタイムレコーダ１であって、強制的に標準時刻電波を受信させるアジャスタボタン４３を設け、このアジャスタボタン４３を操作したとき、この時刻電波受信回路２２が標準時刻電波の受信に成功しなかった際、表示部４にエラー表示を行う。【選択図】  図２
2004164016.tif 000002
【特許請求の範囲】
【請求項１】
時刻を刻む時刻手段と、この時刻手段が刻む時刻を表示する表示手段と、この表示手段に表示される時刻をタイムカードに印字する印字手段と、前記時刻手段の時刻が所定の受信時刻になった際に時刻信号を受信する時刻信号受信手段とを備え、前記時刻信号受信手段が受信する時刻信号に基づいて時刻手段の時刻を修正するとともに、時刻信号受信手段が時刻信号の受信に成功したことを所定時間表示し続けるタイムレコーダであって、
前記時刻信号受信手段を強制的に動作させて時刻信号を受信させるアジャスタボタンを設け、
このアジャスタボタンを操作して前記時刻信号受信手段を動作させたとき、この時刻信号受信手段が時刻信号の受信に成功しなかった際、エラー表示を行うことを特徴とするタイムレコーダ。
【請求項２】
前記受信時刻に時刻信号受信手段が時刻信号の受信に成功しなかったときエラー表示を行うことを特徴とする請求項１に記載のタイムレコーダ。
【請求項３】
前記時刻信号受信手段が時刻信号を受信しない時間帯を予め設定し、
前記アジャスタボタンが前記時間帯に操作されたとき、エラー表示を行うことを特徴とする請求項１または請求項２に記載のタイムレコーダ。
【請求項４】
時刻を刻む時刻手段と、この時刻手段が刻む時刻を表示する表示手段と、この表示手段に表示される時刻をタイムカードに印字する印字手段と、前記時刻手段の時刻が所定の受信時刻になった際に時刻信号を受信する時刻信号受信手段とを備え、前記時刻信号受信手段が受信する時刻信号に基づいて時刻手段の時刻を修正するとともに、時刻信号受信手段が時刻信号の受信に成功したことを所定時間表示し続けるタイムレコーダであって、
前記受信時刻を設定する受信時刻設定手段を設け、
この受信時刻設定手段により受信時刻を設定変更させて前記時刻信号受信手段を動作させた際、この時刻信号受信手段が時刻信号の受信に成功しなかったとき、エラー表示を行うことを特徴とするタイムレコーダ。
【請求項５】
前記時刻信号受信手段が時刻信号を受信しない時間帯を予め設定し、
前記受信時刻変更手段により変更された受信時刻が前記時間帯であるとき、エラー表示を行うことを特徴とする請求項４または請求項５に記載のタイムレコーダ。
【発明の詳細な説明】
【０００１】
【発明の属する技術分野】
この発明は、タイムカードに出社時間や退社時間等を記録するタイムレコーダに関する。
【０００２】
【従来の技術】
従来から、標準時刻電波を受信する電波時計を備えたタイムレコーダが知られている（特許文献１参照）。
【０００３】
かかるタイムレコーダは、時刻を刻む時計回路と、この時計回路が刻む時刻を表示する表示部と、この表示部に表示される時刻をタイムカードに印字する印字ヘッドと、前記時計回路の時刻が所定の受信時刻になった際に標準時刻電波を受信する標準電波受信回路と、この標準電波受信回路が受信する標準時刻電波に基づいて時計回路の時刻を修正したりする制御装置等とを備えている。
【０００４】
このようなタイムレコーダは、標準電波受信回路が標準時刻電波を受信して時刻の修正が行われていることを示すために、標準電波受信回路が標準時刻電波の受信に成功すると、その成功したことを示すマークを２４時間から一週間ほど表示し続けるようにしている。
【０００５】
【特許文献１】
特開平９−４３３６８号公報（段落０００６、０００７）
【０００６】
【発明が解決しようとする課題】
しかしながら、このようなタイムレコーダにあっては、受信の成功を示すマークが２４時間から一週間ほど表示し続けるため、設置場所を変更したとき、その変更した設置場所で標準時刻電波を受信できるか否かの判断がその変更した時点で行うことができず、標準電波受信回路は通常午前３時３０分に標準時刻電波を受信するように設定されていることにより、早くても翌日、遅い場合には１週間後でなければ分からず、正しい時刻に修正することが数日間行われないという問題があった。
【０００７】
この発明の目的は、タイムレコーダの設置場所を変更した場合にその変更した設置場所で標準時刻電波を受信することができるか否かが即座に分かるタイムレコーダを提供することにある。
【０００８】
【課題を解決するための手段】
上記目的を達成するため、請求項１の発明は、時刻を刻む時刻手段と、この時刻手段が刻む時刻を表示する表示手段と、この表示手段に表示される時刻をタイムカードに印字する印字手段と、前記時刻手段の時刻が所定の受信時刻になった際に時刻信号を受信する時刻信号受信手段とを備え、前記時刻信号受信手段が受信する時刻信号に基づいて時刻手段の時刻を修正するとともに、時刻信号受信手段が時刻信号の受信に成功したことを所定時間表示し続けるタイムレコーダであって、
前記時刻信号受信手段を強制的に動作させて時刻信号を受信させるアジャスタボタンを設け、
このアジャスタボタンを操作して前記時刻信号受信手段を動作させたとき、この時刻信号受信手段が時刻信号の受信に成功しなかった際、エラー表示を行うことを特徴とする。
【０００９】
請求項２の発明は、前記受信時刻に時刻信号受信手段が時刻信号の受信に成功しなかったときエラー表示を行うことを特徴とする。
【００１０】
請求項３の発明は、前記時刻信号受信手段が時刻信号を受信しない時間帯を予め設定し、
前記アジャスタボタンが前記時間帯に操作されたとき、エラー表示を行うことを特徴とする。
【００１１】
請求項４の発明は、時刻を刻む時刻手段と、この時刻手段が刻む時刻を表示する表示手段と、この表示手段に表示される時刻をタイムカードに印字する印字手段と、前記時刻手段の時刻が所定の受信時刻になった際に時刻信号を受信する時刻信号受信手段とを備え、前記時刻信号受信手段が受信する時刻信号に基づいて時刻手段の時刻を修正するとともに、時刻信号受信手段が時刻信号の受信に成功したことを所定時間表示し続けるタイムレコーダであって、
前記受信時刻を設定する受信時刻設定手段を設け、
この受信時刻設定手段により受信時刻を設定変更させて前記時刻信号受信手段を動作させた際、この時刻信号受信手段が時刻信号の受信に成功しなかったとき、エラー表示を行うことを特徴とする。
【００１２】
請求項５の発明は、前記時刻信号受信手段が時刻信号を受信しない時間帯を予め設定し、
前記受信時刻変更手段により変更された受信時刻が前記時間帯であるとき、エラー表示を行うことを特徴とする。
【００１３】
【発明の実施の形態】
以下、この発明に係わるタイムレコーダの実施の形態を図面に基づいて説明する。
【００１４】
図１において、１はタイムレコーダであり、このタイムレコーダ１はタイムレコーダ本体２と電波受信ユニット２０とを備えている。
【００１５】
タイムレコーダ本体２の上面にはタイムカード（図示せず）を挿入するカード挿入口３が設けられている。タイムレコーダ本体２の前面の上部には時刻などを表示する表示部（表示手段）４が設けられている。
【００１６】
また、タイムレコーダ本体２の背板５にはホルダ１０が取り付けられており、このホルダ１０には電波受信ユニット２０が着脱自在に装着されている。
【００１７】
電波受信ユニット２０は、図２に示すように、標準時刻電波（時刻信号）を受信するアンテナ２１と、このアンテナ２１が受信した標準時刻電波から時刻データを検波する時刻電波受信回路（時刻信号受信手段）２２等とを備えている。標準時刻電波は、標準電波送信所から送信される時刻情報をのせた標準電波のことである。
【００１８】
タイムレコーダ本体２内には、カード挿入口３に挿入されたタイムカード（図示せず）を検知するカードセンサ３１と、カード挿入口３に挿入されたタイムカードを所定位置まで引き込む駆動モータ３２と、この駆動モータ３２によって引き込まれたタイムカードに時刻を印字する印字ヘッド（印字手段）３３と、この印字ヘッド３３を駆動させるドライバ３４と、駆動モータ３２を駆動させるドライバ３５と、制御プログラムや文字データ等を記憶したＲＯＭ３６と、起動時にＲＯＭ３６から読み込んだ制御プログラムを格納するとともに印字の際の文字データの処理に用いられるＲＡＭ３７と、時刻を刻む時計回路（時刻手段）３８と、前記時刻データに基づいて時計回路３８の時刻を修正したり表示部４の表示制御や他の制御等を行ったりする制御装置（制御手段）３９と、各回路２２，３８やドライバ３４，３５やカードセンサ３１等に電源電圧を供給を電源回路４０と、標準時刻電波の受信時刻を設定する受信時刻設定手段４２と、時刻電波受信回路２２に標準時刻電波を強制的に受信させるアジャスタボタン４３等とが設けられている。
【００１９】
制御装置３９は、ＣＰＵ等から構成され、時刻を修正する修正手段の機能を有している。受信時刻設定手段４２は、図示しない操作キーの操作により時刻を設定していくものであり、この操作キーの操作によってその設定した時刻が設定変更されることになる。また、この受信時刻設定手段４２は、操作キーの操作によって標準時刻電波の強制受信を禁止する時間帯を設定するようになっている。この操作キーやアジャスタボタン４３はフロントカバーＦを外すことにより操作することができるようになっている。
【００２０】
また、電波受信ユニット２０の時刻電波受信回路２２とタイムレコーダ本体２の制御装置３９とは図示しないケーブルによって接続されており、時刻電波受信回路２２の検波した時刻データがケーブルを介して制御装置３９に入力するようになっている。
［動  作］
次に、上記の実施形態のタイムレコーダの動作を図３のフロー図に基づいて説明する。
【００２１】
先ず、予め受信時刻設定手段４２の操作キーを操作して時刻電波受信回路２２が受信する時刻を午前３時３０分に設定し、標準時刻電波の強制受信を禁止する時間帯を午前２時３０分から午前３時３０分に設定する。
【００２２】
これは、タイムレコーダでは、締日を通常午前３時００分に設定しているため、時計回路３８の時刻が午前３時００分になると締日処理が行われる。そして、午前３時０１分に標準時刻電波を受信して時計回路３８の時刻が例えば午前２時５９分に修正されると、時計回路３８は再度午前３時００分の時刻を刻むことになるので、締日処理が２回行われてしまうという問題が生じる。逆に、時計回路３８の時刻が午前２時５９分のときに標準時刻電波を受信して時計回路３８の時刻が例えば午前３時０１分に修正されてしまうと、時計回路３８は午前３時００分の時刻を刻まないことになり、締日処理が行われないという問題が生じる。これら問題が生じないようにするためである。
【００２３】
なお、締日処理とは、タイムレコーダでは各タイムカード毎の勤務時間等のデータを２カ月間分だけ記憶するようになっており、例えば７月と８月のデータを記憶している場合、時計回路３８の時刻が９月１日の午前３時００分になると、７月分のデータを消去する処理（月に一回行う処理）と、タイムカードに時刻を印字する行を変えるための処理（１日に一回行う処理）とを行うことである。したがって、月に一回行う締日処理が二回行われてしまうと７月と８月のデータが消去されてしまう問題が生じる。また、１日に一回行う締日処理が行われないと、前日の出勤日の行に当日の出勤時間が印字されてしまうという不具合が発生する。
【００２４】
なお、印字行の変更は、タイムカード挿入時、駆動モータ３２で最下段までタイムカードを引き込み、その後、当日印字行が印字ヘッド３３と対向する位置までタイムカードを戻すように駆動モータ３２を駆動させて行う。すなわち、タイムカードを戻す移動量を変えることによって印字行を変更する。
【００２５】
次に、図示しない時刻設定手段により時計回路３８の時刻を設定する。この設定が終了すると時計回路３８が動作して歩進していく（ステップ１）。すなわち、時刻が刻まれていき、この刻まれた時刻は表示部４に表示されていく。
【００２６】
ステップ２では、時計回路３８の時刻が午前３時３０分になったか否かが判断され、イエスであればステップ６へ進み、ノーであればステップ３へ進む。ステップ３では、アジャスタボタン４３が押されたか否かが判断され、イエスであればステップ４へ進み、ノーであればステップ１へ戻る。すなわち、時計回路３８が歩進する時刻が午前３時３０分以外では、アジャスタボタン４３が押されるまで、ステップ１〜ステップ３の処理動作が繰り返し行われる。
【００２７】
アジャスタボタン４３が押されるとステップ３からステップ４へ進む。ステップ４では、受信処理実行可能時間であるか否かが判断される。すなわち、時計回路３８の時刻が午前２時３０分から午前３時３０分までの間の時間帯外であるか否かが判断され、イエスであればステップ６へ進み、ノーであればステップ５へ進む。
【００２８】
ステップ５では、表示部４にエラー表示を行ってステップ１へ戻る。このエラー表示は、例えば「Ｅ−××」などの文字を数秒間表示する。
【００２９】
時計回路３８の時刻が午前３時３０になるとステップ２からステップ６へ進む。ステップ６では、時刻電波受信回路２２が標準時刻電波を受信するための受信処理が行われる。ステップ７では時刻電波受信回路２２が標準時刻電波を受信し、ステップ８では標準時刻電波の受信が成功したか否かが判断され、イエスであれば時刻電波受信回路２２が受信した標準時刻電波に基づいて時計回路３８の時刻を修正するとともに、その受信に成功し時刻を修正したことを示すマークを表示してステップ１０へ進む。そのマークは、例えば二重丸である「◎」を第１の表示として表示部４に点灯表示する。この表示時間は例えば２４時間から７日間である。
【００３０】
標準時刻電波の受信が不成功の場合、ステップ８ではノーと判断されてステップ９へ進み、ステップ９ではエラー表示してステップ１へ戻る。このエラー表示は、例えば「Ｅ−△△」などの文字を第２の表示として数秒間表示する。
【００３１】
次に、タイムレコーダ１の設置位置を変更した場合について説明する。
【００３２】
先ず、タイムレコーダ１を変更する設置位置へ設置し、アジャスタボタン４３を押す。このアジャスタボタン４３を押す時刻は通常日中であるから（午前２時３０分〜３時３０分の時間帯ということはほとんどない）、ステップ３およびステップ４ではイエスと判断されてステップ６へ進む。そして、上述したステップ６，７の処理動作が行われる。すなわち、アジャスタボタン４３を押すことにより標準時刻電波の強制受信が行われる。
【００３３】
変更した設置位置が標準時刻電波を受信することができない場所であると、ステップ８ではノーと判断されてステップ９でエラー表示が行われる。変更前の位置で受信が可能であった場合に「◎」が表示部４に点灯表示されているが、そのエラー表示により、変更した設置位置で標準時刻電波を受信することができないことが即座に分かることになり、このため受信可能な位置へ確実にタイムレコーダ１を設置することができることになる。このため、タイムレコーダ１の設置位置を変更しても、受信可能な位置へ確実に設置することができることにより、時計回路３８の時刻を毎日正しい時刻に修正することができ、その時刻の修正が数日間行われなくなるということを防止することができる。
【００３４】
上記実施形態では、アジャスタボタン４３を押すことにより標準時刻電波の強制受信を行っているが、受信時刻設定手段４２により受信時刻を午前３時３０分から現時点の時刻より数分後に設定変更させて、変更した設置位置で標準時刻電波を受信することができるか否かを判断するようにしてもよい。そして、受信可能な位置へタイムレコーダ１を設置することができたら、受信時刻設定手段４２により受信時刻を午前３時３０分に戻す。
【００３５】
また、上記実施形態では、標準電波送信所から送信される時刻情報をのせた標準時刻電波を受信して時刻を修正するタイムレコーダ１について説明したが、これに限らず、発明の技術的範囲内において種々の設計変更が可能であり、この発明がそれら設計変更されたものに及ぶことは当然である。
【００３６】
【発明の効果】
この発明によれば、タイムレコーダの設置場所を変更した場合にその変更した設置場所で標準時刻電波を受信することができるか否かが即座に分かり、受信可能な位置へ確実にタイムレコーダを設置することができることになる。このため、タイムレコーダの設置位置を変更しても、受信可能な位置へ確実に設置することができることにより、時刻手段の時刻を毎日正しい時刻に修正することができ、その時刻の修正が数日間行われなくなるということを防止することができる。
【図面の簡単な説明】
【図１】この発明に係るタイムレコーダの外観を示した斜視図である。
【図２】タイムレコーダの回路構成を示したブロック図である。
【図３】タイムレコーダの動作を示したフロー図である。
【符号の説明】
１                    タイムレコーダ
４                    表示部（表示手段）
２２                    時刻電波受信回路（時刻信号受信手段）
３３                    印字ヘッド（印字手段）
３８                    時計回路（時刻手段）
４２                    受信時刻設定手段
４３                    アジャスタボタン
【図１】
2004164016.tif 000003
【図２】
2004164016.tif 000004
【図３】
2004164016.tif 000005